【手続補正書】
【提出日】平成22年4月21日(2010.4.21)
【手続補正１】
【補正対象書類名】明細書
【補正対象項目名】００１２
【補正方法】変更
【補正の内容】
【００１２】
このように、親水処理を行うことにより、表面が疎水性を有する場合でも、塗布する試薬の厚みのムラを防止することができる。また、前記光非透過性プリント印刷面が壁になり、試薬が塗布された時に、それ以上、試薬が広がることを防止する。これにより、試薬を塗布したときに、ムラができない。また、前記親水処理面は、前記反応室の前記多孔性プレートの厚み方向に垂直な面における断面形状よりも小さな形状で露出するように、光非透過性プリント印刷面で覆われている。したがって、前記反応室のうちの一部の呈色反応を測定できる。これにより、前記光透過性第１プレート、前記光透過性第２プレートおよび前記多孔性プレートの位置ズレがあったとしても、正確な測定ができる。
【手続補正２】
【補正対象書類名】明細書
【補正対象項目名】００１４
【補正方法】変更
【補正の内容】
【００１４】
このように、親水処理を行うことにより、表面が疎水性を有する場合でも、塗布する試薬の厚みのムラを防止することができる。また、前記光非透過性プリント印刷面が壁になり、試薬が塗布された時に、それ以上、試薬が広がることを防止する。これにより、試薬を塗布したときに、ムラができない。また、前記光非透過性プリント印刷面で覆われていない前記小さな形状は、前記反応室の前記多孔性プレートの厚み方向に垂直な面における断面形状よりも小さい。したがって、前記反応室のうちの一部の呈色反応を測定できる。これにより、前記光透過性第１プレートまたは前記光透過性第２プレートと、前記多孔性プレートとの位置ズレがあったとしても、正確な測定ができる。
【手続補正３】
【補正対象書類名】明細書
【補正対象項目名】００１８
【補正方法】変更
【補正の内容】
【００１８】
このように、前記反応室における呈色反応を調べる光を照射する方向に垂直な面における断面形状よりも小さな領域を残して光非透過性プリント印刷面で覆い、前記光非透過性プリント印刷面で覆われていない領域に親水処理を行うことにより、表面が疎水性を有する場合でも、塗布する試薬の厚みのムラを防止することができる。また、前記光非透過性プリント印刷面が壁になり、試薬が塗布された時に、それ以上、試薬が広がることを防止する。これにより、試薬を塗布したときに、ムラができない。
【手続補正４】
【補正対象書類名】明細書
【補正対象項目名】００２１
【補正方法】変更
【補正の内容】
【００２１】
このように、前記親水処理された面に、所定の試薬を付着させる場合に、付着させる試薬の厚みのムラを防止することができる。また、その際、前記光非透過性プリント印刷面が壁になり、試薬が塗布された時に、それ以上、試薬が広がることを防止する。これにより、試薬を塗布したときに、ムラができない。また、前記光非透過性プリント印刷面で覆われていない前記小さな形状は、前記反応室の前記多孔性プレートの厚み方向に垂直な面における断面形状よりも小さい。したがって、透過光で前記反応室の呈色反応を測定するときに、前記反応室のうちの一部の呈色反応によって測定することができる。これにより、前記光透過性第１プレートまたは前記光透過性第２プレートと、前記多孔性プレートとの位置ズレがあったとしても、正確な測定ができる。
【手続補正５】
【補正対象書類名】明細書
【補正対象項目名】００２３
【補正方法】変更
【補正の内容】
【００２３】
また、「検査対象液状流体」には、血液、唾液、尿、リンパ液、汗、細胞間質液という体液だけでなく、他の液状流体も含む。また、「反応室」とは実施形態では測定室７が該当する。
【手続補正６】
【補正対象書類名】明細書
【補正対象項目名】００２６
【補正方法】変更
【補正の内容】
【００２６】
第１プレート１の下方に配置する第２プレート２には、供給口１１との対向部位に円形状の凹入部２０が設けられている。凹入部２０の内部には円形状の複数のリブ２１が同心状および放射状に形成されている（図２参照）。リブ２１は、血球を分離除去する非対称孔径膜からなる血球分離膜６を支持する。
【手続補正７】
【補正対象書類名】明細書
【補正対象項目名】００３１
【補正方法】変更
【補正の内容】
【００３１】
第３プレートの貫通部７１を、第２プレート２および第４プレート４で挟み込むことにより、測定室７が構成される。
【手続補正８】
【補正対象書類名】明細書
【補正対象項目名】００３４
【補正方法】変更
【補正の内容】
【００３４】
図４Ａに示す第４プレート４の第３プレート側の面である第１面１８４に、図４Ｂに示すように、親水処理を行う。親水処理は、親水機能を有する膜をコーティング等すればよい。これにより、第１面１８４が全面、親水処理面４ｄによって覆われる。つぎに、図４Ｃに示すように、親水処理面４ｄの一部に穴１８６が形成されるように黒色の印刷面２０４ｃを形成する。穴１８６は、第３プレート３の貫通穴７１の直径よりも小さな直径ｄ４の円形状とした。これにより、穴１８６以外の親水処理面は印刷面２０４ｃで覆われる。なお、本実施形態においては、親水処理面４ｄの表面に黒色のスクリーン印刷をおこなうことにより、印刷面２０４ｃを形成した。
【手続補正９】
【補正対象書類名】明細書
【補正対象項目名】００３６
【補正方法】変更
【補正の内容】
【００３６】
親水処理および印刷面２０４による効能について説明する。本実施形態においては、穴１８６の露出面では、親水処理がなされており、かつ、穴１８６の周辺は印刷面２０４ｃによって、壁が形成されている。かかる穴１８６に試薬を塗布すると、親水処理によって塗布された試薬が水平方向に広がろうとする。一方、印刷面２０４ｃは撥水機能を有するので、印刷面２０４ｃによって形成された壁を越えていくように広がることを防ぐ。これにより、試薬１８８が穴１８６を越えるように広がったり、また、逆に穴１８６の一部にのみ付着すること（図５Ｃ参照)がなく、塗布された試薬は、図５Ａに示すように、穴１８６から盛り上がるような形状となる。時間の経過とともに、試薬１８８の水分が蒸発し、図５Ｂに示すように、表面がなだらかに固まる。なお、図５Ｂにおいては、印刷面２０４ｂと同じ高さになっているが、必ず、このような形状になるわけではない。
【手続補正１０】
【補正対象書類名】明細書
【補正対象項目名】００３８
【補正方法】変更
【補正の内容】
【００３８】
なお、第２プレート２と第４プレート４に塗布される試薬は、種類の異なる試薬が所定量塗布されている。かかる試薬の種類は、測定対象によって変更すればよい。たとえば、生体の体液成分である血中グルコースを測定する場合は、一方に、ＮＡＤ（酸化型ニコチンアミドアデニンジヌクレオチド）とテトラゾリウム塩を含んだものを、他方に、グルコース脱水素酵素、ジアホラーゼ、緩衝液を含んだものを、塗布して乾燥させておけばよい。なお、これらは逆に塗布することも可能である。
【手続補正１１】
【補正対象書類名】明細書
【補正対象項目名】００４１
【補正方法】変更
【補正の内容】
【００４１】
また、総コレステロールを測定する場合には、ＮＡＤとテトラゾリウム塩を含んだものを一方に、コレステロールエステラーゼ、コレステロール脱水素酵素、ジアホラーゼ、緩衝液を含んだものを、他方に塗布すればよい。
【手続補正１２】
【補正対象書類名】明細書
【補正対象項目名】００４８
【補正方法】変更
【補正の内容】
【００４８】
なお、本実施形態においては、生体の体液成分として血液を測定する場合について説明したが、血液以外の体液、たとえば、唾液、尿、リンパ液、汗、細胞間質液であってもよく、さらに、これらの体液以外でも、少なくとも２種類の試薬と反応させる液状流体であればどのようなものでも適用することができる。